Podtech/llm-jp-corpus-v4-ja_patent huggingface dataset:
(57)【要約】      （修正有）【課題】イヤホンコードを使用する際にコードをまとめて卓上を整然とし、携帯時にも長さを整理してイヤホンコードを使いやすくすることのできるスマートフォンのスタンドを提供する。【解決手段】スマートフォン４の裏面に取外し自在に取付けするはね丸め特性を有すスマートフォンのスタンドの長手側両サイドにイヤホンコード７を輪掛け止めする鉤棒を左右一対にて設ける。【選択図】図５
0003203617.tif 000002
【実用新案登録請求の範囲】
【請求項１】
スマートフォンの裏面に取外し自在に取付けするはね丸め特性を有すスマートフォンのスタンドの長手側両サイドにイヤホンコードを輪掛け止めする鉤棒を左右一対にて設けたことを特徴とするスマートフォンのスタンド。
【考案の詳細な説明】
【技術分野】
【０００１】
この考案はスマートフォンのスタンドに関するものある。
【背景技術】
【０００２】
出願人は登録第３１９６６６８号実用新案にてスマートフォンのスタンドを提案している。
【特許文献１】実用新案登録第３１９６６６８号公報
【考案の開示】
【考案が解決しようとする課題】
【０００３】
しかしながら、上記の考案はスマートフォンを卓上などにて見やすい角度に起こし立てして支持する点できわめて便利であるが、イヤホンコードを使用するときはコードが卓上などに無造作に垂るみ置かれて周囲を雑然とするという課題がある
【課題を解決するための手段】
【０００４】
本考案は、スマートフォンのスタンドの長手側両サイドにイヤホンコードを輪掛け止めする左右一対の鉤棒(フック)を設けてイヤホンコードを輪掛け止めするようにして課題を解決したのである。
【考案の効果】
【０００５】
本考案のスマートフォンのスタンドは、スマートフォンを卓上などにおいて見やすい角度に起こし立て支持するだけでなく、イヤホンコードを使用するときもコードの中間の垂るみ部分を左右一対の鉤棒に輪掛け止めして卓上などをすっきり整然にすることができるという効果を生ずる。
【０００６】
またイヤホンコードを輪掛け止めして長さ調整をした状態でスマートフォンを持ち歩くことができるので、イヤホンを使用するときもしないときもイヤホンコードを整理した状態にて携帯することができるという効果を生ずる。
【０００７】
イヤホンコードの中間は輪掛け止めにとどまるため極く簡単に解き伸ばすことができるという効果を生ずる。
【図面の簡単な説明】
【０００８】
【図１】（ａ）はスタンド体を展開した状態にて示す正面図、（ｂ）は同、背面図、（ｃ）は同、側面図
【図２】（ａ）はスタンド体をスマートフォンの裏面に吸着した状態を示す側面図、（ｂ）は同、はね丸めてスタンド脚を構成した状態を示す側面図
【図３】同、スマートフォンを起こし立て支持している状態を示す裏面図
【図４】スタンド体の吸着位置を調整した起こし立て例を示すスマートフォンの側面図
【図５】（ａ）はスマートフォンにイヤホンを装着し、イヤホンコードをスタンド体の鉤棒（フック）に輪掛け止めした使用例を示す側面図、（ｂ）は同、裏面斜視図
【図６】第２実施例のスタンド体を展開した状態にて示す背面図
【符号の説明】
【０００９】
１はスチール
２は帯形のスタンド
３は吸盤
４はスマートフォン
５ａ，５ｂは鉤棒
６は卓
７はイヤホンコード
８ａは剥がしシート
８ｂは糊面
【考案を実施するための最良の形態】
【００１０】
本考案は、はね丸め特性を有すスマートフォンのスタンドの長手側両サイドにイヤホンコードを輪掛け止めする鉤棒を左右一対にて設けてスマートフォンのスタンドを構成する。
【実施例１】
【００１１】
図１乃至図５は本考案の第１実施例であって、はね丸め特性を有すスチール１を芯体として挿入した細帯形をしたシリコン等の合成樹脂製からなる細帯形のスタンド２を形成する。細帯形のスタンド２は中心部の一面に吸盤３を取付けて．スマートフォン４の裏面に吸着取付けする。スタンド２の他面の長手側両サイドに左右一対の鉤棒（フック）５ａ，５ｂを設ける。フック５ａ，５ｂは金属製等にて強化することがある。
【００１２】
このスタンド２はスマートフォン４の裏面に吸着した状態でスマートフォン４とともに携帯し、スタンド２を使用するときは吸盤３の部分を背側から押して、はね丸め特性によりスタンド２を図２の(ｂ)に示すように丸曲がりさせてスマートフォン４の裏面に有端輪形の支持体にする。図３，図４に示すように卓６上などにてスマートフォン４を見やすい角度に起こし立てた状態で支持させるのである。
【００１３】
この際イヤホンコード７を使用するときは、図５に示すようにイヤホンコード７の中間の垂るみ部分を左右一対の鉤棒（フック）５ａ，５ｂに輪掛け止めして、スマートフォン４をそのまま置くときも起こし立て支持するときも卓６上を整理して、きれいにするのである。また、スマートフォン４を持ち歩くときもイヤホンコード７の全部または余分な長さ分を一対の鉤棒（フック）５ａ，５ｂに輪掛け止めすることでイヤホンコード７を整理した状態にて携帯することができることとなる。
【００１４】
なお鉤棒（フック）５ａ，５ｂは側面視Ｉ字形，Ｌ字形，Ｊ字形などにて形成する。またスタンド２は不使用時には吸着を解いてスマートフォン４より取り外すことができる。
【実施例２】
【００１５】
図６は本考案の第２実施例であって、吸盤１にかえて帯形のスタンド２の中心部の両側または一側に剥がしシート８ａ付の糊面８ｂを張出し形成してスマートフォン４の裏面に糊付けするようにしたほかは第１実施例と同じである。
【００１６】
本考案のスタンドは、スマートフォンのほか同タイプの電子書籍リーダー，ミニパソコンなど各種のモバイル機器に取付けて使用することができる。
【産業上の利用可能性】
【００１７】
本考案のスマートフォンのスタンドは左右の両サイドにイヤホンコードを輪掛け止めする左右一対の鉤棒（フック）を設けることで広く利用されるものとなる。
【図１】
0003203617.tif 000003
【図２】
0003203617.tif 000004
【図３】
0003203617.tif 000005
【図４】
0003203617.tif 000006
【図５】
0003203617.tif 000007
【図６】
0003203617.tif 000008
(57)【要約】      （修正有）【課題】丸形ケースを開閉する時に発生する摩擦抵抗に対して簡単に開閉できるようにするケーススライド用ウィンチを提供する。【解決手段】ベースプレート１に外側ケース２と内側ケース３を固定し、更にワイヤー巻取り部４と巻取り軸５を一体化させ、ワイヤー巻取り部４に引き寄せワイヤー６を設ける。このケーススライド用ウィンチを丸形ケースに固定し、引き寄せワイヤーを左ブラケットまたは、右ブラケットに取り付け、巻取り軸を電動ドリルで回転させる。【選択図】図２
0003203696.tif 000002
【実用新案登録請求の範囲】
【請求項１】
ベースプレートに外側ケースと内側ケースを固定し、更にワイヤー巻取り部と巻取り軸を一体化させ、ワイヤー巻取り部に引き寄せワイヤーを設けたケーススライド用ウィンチ。
【考案の詳細な説明】
【技術分野】
【０００１】  本考案は、シャッター点検時に丸形ケースをケーススライド用ウィンチを利用し、電動ドリルで簡単に開閉できる装置に関するものである。
【背景技術】
【０００２】  従来、シャッターの丸形ケースは重ね合わせ部の抵抗が大きくバール、ドライバー等を利用しても開閉が困難であった。
【考案の概要】
【考案が解決しようとする課題】
【０００３】  そのために、次のような問題点がある。
ケーススライド用ウィンチを使用することにより、
（イ）ケース開閉作業の向上
丸形ケースの重ね合わせ部による抵抗が大きく開閉作業が困難であると共に時間を要した。
そこで、丸形ケースにケーススライド用ウィンチを取付、電動ドリルを回転させることにより簡単に開閉ができる。
（ロ）ケース開閉作業の安全性の向上
本作業は高所で行うため、落下等危険が伴う。
バール、ドライバー作業等不安定な姿勢での作業が改善され安全である。
（ハ）ケース開閉時にケース本体にキズ等が付かない。
丸形ケース開閉時にバール、ドライバー等の工具を使用し作業していたため、ケース本体にキズが付き易かった。
丸形ケースにケーススライド用ウィンチを取り付、電動ドリルを回転させることにより開閉するため、ケース本体にキズが発生しない。
本考案は、これらの問題点を解決されるためになされたものである。
【課題を解決するための手段】
【０００４】（イ）ベースプレートに外側ケースと内側ケースを固定し、更にワイヤー巻取り部と巻取り軸を一体化させる。
（ロ）ワイヤー巻取り部に引き寄せワイヤーを固定させる。
以上のように構成されたケーススライド用ウィンチである。
【考案の効果】
【０００５】  本考案は、ケーススライド用ウィンチをケースに固定し、引き寄せワイヤーを左ブラケットまたは、右ブラケットに取り付け、電動ドリルを回転させることにより作業性の向上、安全性の向上、品質の向上が図られる。
【図面の簡単な説明】
【０００６】
【図１】  本考案の正面図である。
【図２】  本考案の平面図である。
【図３】  本考案の側面図である。
【図４】  本考案の使用状況図である。
【考案を実施するための形態】
【０００７】  以下、本考案の形態について説明する。
（イ）ワイヤー巻取り部４に引き寄せワイヤー６をセットしたものを、外側ケース２と内側ケース３に組込みベースプレート１と一体化する。
（ロ）引き寄せワイヤー６の端部を左ブラケット８に固定し、巻取り軸５に電動ドリル１０をセットし、回転させ丸形ケース７をスライドさせ解放させる。
（ハ）引き寄せワイヤー６の端部を反対側の右ブラケット９に取付け、巻取り軸５に電動ドリル１０をセットし、回転させ丸形ケース７をスライドさせ閉鎖させる。
本考案は以上のような構造である。
本考案を使用するときは、電動ドリル１０を低速にて回転させ、必要な距離まで引き寄せワイヤー６を巻き上げる作業を行う。
【符号の説明】
【０００８】  １  ベースプレート
２  外側ケース
３  内側ケース
４  ワイヤー巻取り部
５  巻取り軸
６  引き寄せワイヤー
７  丸形ケース
８  左ブラケット
９  右ブラケット
１０  電動ドリル
【図１】
0003203696.tif 000003
【図２】
0003203696.tif 000004
【図３】
0003203696.tif 000005
【図４】
0003203696.tif 000006
(57)【要約】【課題】  ペットボトル容器口部のキャップとエンドリングによる未開封確認機能を保持しつつ、飲用後簡単にキャップとエンドリングのいずれをも取り外すことを可能とすることで資源リサイクル活動の効果を増加させるペットボトル容器口部の構造を提供する。【解決手段】  ペットボトル容器口部に、並目雄ネジ溝と細目雄ネジ溝を施し二重裸子構造とし、並目雌ネジ溝を施したエンドリング、細目雌ネジ溝を施したキャップの順に装着し、両者の接面を接着させると、飲用前は初期装着の箇所でキャップとエンドリングが固定され供回りもしないことにより未開封確認機能を確保し、飲用時には容易にキャップのみを取り外すことができ、飲用後にはキャップとエンドリングをともにペットボトル容器から取り外すことができることを特徴とする。【選択図】図１
0003203695.tif 000002
【実用新案登録請求の範囲】
【請求項１】
ペットボトル容器本体口部（１）に並目雄ネジ溝と細目雄ネジ溝を複合的に施し二重雄裸子構造とすることで、細目雌ネジ溝を施したキャップ（３）と並目雌ネジ溝を施したエンドリング（２）のいずれをも螺合せしめることができるペットボトル容器口部の構造。
【考案の詳細な説明】
【技術分野】
【０００１】  本考案は、ペットボトル容器口部の螺子構造に関するものである。
【背景技術】
【０００２】  従来、ペットボトル容器の口部には同一ピッチの雄ネジ溝が単純に施されているだけで、未開栓の安全確保のためにはエンドリングをペットボトル容器口部に残存させる方法がおもに採用されていた。
【先行技術文献】
【特許文献】
【０００３】
【特許文献１】特開２００１−９９１２０
【考案の概要】
【考案が解決しようとする課題】
【０００４】  従来のペットボトル容器口部には、同一ピッチの単純な雄ネジ溝が加工されているだけであり、それに対応した雌ネジ溝を持つキャップだけでは未開栓状態での安全を確保できないため、キャップの下部にエンドリングを装着したうえ、エンドリングをボトル容器に固着させていた。飲用前の未開封確認としてエンドリングは大きな役目を果たす反面、飲用後にペットボトル本体から分離させることが容易ではなく、分別廃棄処理によるリサイクル活動を進める上での課題となっていた。本考案は上記のような課題を克服するためになされたものである。
【課題を克服するための手段】
【０００５】  本考案は、ペットボトル容器口部に、並目雄ネジ溝と細目雄ネジ溝を複合的に加工することで、細目雌ネジ溝が施されたキャップと並目雌ネジ溝が施されたエンドリングを装着させることができることを特徴とする。
【考案の効果】
【０００６】  相対的に回転速度の速い並目雌ネジ溝を持つエンドリング、回転速度の遅い細目雌ネジ溝を持つキャップの順でペットボトル容器口部に装着し、両者の接地面を接着剤で接着させておくことで、エンドリングの開栓運動をキャップが防ぐ構造により供回りせず初期固定箇所においてエンドリングを容器本体に固着させることなく未開栓状態を継続できる。飲用時は容易にキャップのみを脱着でき、飲用後にはエンドリングも取り外すことができるので分別廃棄処理が簡易に行え、リサイクル活動の効果を増進させる効果がある。
【図面の簡単な説明】
【０００７】
【図１】図１は本考案の正面図である。
【図２】図２は本考案の右側面図である。
【図３】図３は本考案の左側面図である。
【図４】図４は本考案の平面図である。
【図５】図５は本考案の背面図である。
【図６】図６は本考案の底面図である。
【図７】図７は本考案のボトル容器口部の並目と細目雄ネジ溝を複合的に加工した螺子部の拡大図である。
【図８】図８は本考案の斜視図でキャップとエンドリングの接着剤塗布箇所を示す。
【図９】図９は本考案の断面図でペットボトル容器口部にキャップとエンドリングを装着した図である。
【考案を実施するための形態】
【０００８】  以下、本発明を実施するための形態について説明する。
ペットボトル容器口部に、並目と細目の２種類の雄ネジ溝を加工する。キャップには細目雌ネジ溝を、エンドリングには並目雌ネジ溝をそれぞれ加工する。上面に接着剤を塗布したエンドリングを先に装着し、続いてキャップをエンドリングに密接するまで装着する。未開栓の確認は両者の接着の確認により行い、飲用時はキャップをつまんで開栓する。飲用後はキャップ、エンドリングの順で取り外し、ボトル容器本体から分離させる。
【産業上の利用可能性】
【０００９】未開栓の確認機能を保持しながら、容易にエンドリングを取り外せることで、分別廃棄が円滑に行えるようになる。
【符号の説明】
【００１０】    １  並目と細目の雄ネジ溝加工を施したペットボトル容器本体
２  並目雌ネジ溝を施したエンドリング
３  細目雌ネジ溝を施したキャップ
４  接着剤塗布箇所
【図１】
0003203695.tif 000003
【図２】
0003203695.tif 000004
【図３】
0003203695.tif 000005
【図４】
0003203695.tif 000006
【図５】
0003203695.tif 000007
【図６】
0003203695.tif 000008
【図７】
0003203695.tif 000009
【図８】
0003203695.tif 000010
【図９】
0003203695.tif 000011
(57)【要約】【課題】キャンバスを使用した本格的な絵を描きたい、描いた絵をそのままインテリア装飾としたい、又は、構図や色彩の選択等についての基本的な技術を習得したいと考えている人たちの願いを実現させることができるキャンバス塗り絵セットを提供する。【解決手段】塗り絵のための輪郭線１１が印刷されたキャンバス１と、キャンバス１を支持するための画枠２により構成される。キャンバス１は、すぐに塗り絵ができるように、また、完成後、そのままインテリア装飾とすることができるように、あらかじめ画枠２に張られた状態として販売することもできる。【選択図】図１
0003203700.tif 000002
【実用新案登録請求の範囲】
【請求項１】
塗り絵のための輪郭線が印刷されたキャンバスと、
該キャンバスを支持するための画枠と、
により構成されることを特徴とする塗り絵キャンバスセット。
【請求項２】
前記キャンバスは前記画枠に張られた状態であることを特徴とする請求項１記載の塗り絵キャンバスセット。
【考案の詳細な説明】
【技術分野】
【０００１】
本考案は、塗り絵としての輪郭線を有するキャンバスと画枠のセットに関する。
【背景技術】
【０００２】
従来より、漫画や簡単な風景画などの塗り絵については、紙に輪郭線が印刷された子供向けのものが中心に市販されている。一方、芸術としての絵画を実践するには、キャンバスを画枠に張って油絵具やアクリル絵具を使用するが、そのような本格的な絵画は、普通の人には敷居が高く、誰でも楽しめるものではない。
【考案の概要】
【考案が解決しようとする課題】
【０００３】
上述したように、本格的な絵を描きたいという願望はあっても、絵は誰でも上手に描けるわけではないので、実際にキャンバスや絵具を購入して実践する人は少ない。また、既に絵を始めたが、構図や色彩の選択等について基本的な技術の習得を目指している絵の初心者も多い。
【０００４】
本考案は、キャンバスを使用して本格的な絵を描きたい、描いた絵をそのままインテリア装飾としたい、又は、構図や色彩の選択等についての基本的な技術を習得したいと考えている人たちの願いを実現させることができるキャンバス塗り絵セットを提供することを課題とする。
【課題を解決するための手段】
【０００５】
上記課題を解決するために、請求項１に係るキャンバス塗り絵セットは、塗り絵のための輪郭線が印刷されたキャンバスと、該キャンバスを支持するための画枠により構成される。
【０００６】
請求項２に係る塗り絵キャンバスセットは、キャンバス張りを行わず、すぐに塗り絵ができるように、前記キャンバスは前記画枠にあらかじめ張られた状態になっていることを特徴とする。
【考案の効果】
【０００７】
本塗り絵キャンバスセットを購入することにより、購入者は名画の模写が手軽に出来るようになる。また、色鉛筆でも、水彩でも、油絵の具でも、本格的な絵の塗り絵が出来るようになる。
【０００８】
絵の初心者は、本塗り絵キャンバスセットを使用して練習することにより、構図や色彩の選択等についての基本的な技術を習得することが可能となる。
【０００９】
本塗り絵キャンバスセットを使用すれば、完成後、そのまま部屋にインテリアアートとして飾ることができ、生活に潤いが増す。特に、請求項２の塗り絵キャンバスは、キャンバスが画枠に張られた状態のものを購入できるため、塗り絵をする前の張り作業の手間がなくなる。
【図面の簡単な説明】
【００１０】
【図１】本実施形態の塗り絵キャンバスセットの構成を示す斜視図である。
【図２】本実施形態の塗り絵キャンバスの使用前の平面図である。
【図３】本実施形態の塗り絵キャンバスの完成後の平面図である。
【考案を実施するための形態】
【００１１】
本実施形態の塗り絵キャンバスセットは、図１に示すように、輪郭線１１が印刷された塗り絵キャンバス１とこれを支持する画枠２によって構成される。請求項２の塗り絵キャンバスセットは、あらかじめ塗り絵キャンバス１が画枠２に張られているので、張り作業を行うことなく、すぐに塗り絵を開始することができる。
【００１２】
本実施形態では、キャンバス１の素材は綿を使用するが、より印刷がしやすい合成繊維であってもよい。また、印刷が可能であれば、油絵の具がのりやすい本格的な麻布を使用することも可能である。
【００１３】
また、画枠２は釘打ちがしやすく比較的安価な桐木枠を標準とするが、完成後そのままインテリア装飾とすることを考慮し、高級感あるアクリルフレームの額縁とすることもできる。
【００１４】
塗り絵のジャンルは、高齢者向けの名画や花、大人女子向けに幾何学模様の線を印刷したもの、幼児向けの漫画のキャラクターなど、各年齢の需要者層のものを、これに適合する画枠とともに販売することが可能である。
【符号の説明】
【００１５】
１      塗り絵キャンバス
１１    輪郭線
２      画枠
【図１】
0003203700.tif 000003
【図２】
0003203700.tif 000004
【図３】
0003203700.tif 000005
(57)【要約】      （修正有）【課題】本考案はビニール袋を開ける時、及び使用時の開口状態を保つことができるゴミ袋を提供する。【解決手段】本考案はビニール袋１の開口上部に前後差を設け、切り込みを入れることで前面にあたる開口部を内側に巻き込んだ撚り３を入れ、常に開口状態となる。又、手の触感によりゴミを容易にそして確実に袋の中に落とすことが出来る。【選択図】図３
0003203678.tif 000002
【実用新案登録請求の範囲】
【請求項１】
開口部に前後差を設けたことを特徴とするゴミ袋。
【請求項２】
請求項１において、開口部前面縁に凸状の厚みを設けたことを特徴とするゴミ袋。
【請求項３】
請求項２において、開口部前面縁内側に凸状の突起を設けたことを特徴とするゴミ袋。
【考案の詳細な説明】
【技術分野】
【０００１】  ビニール袋を改良することにより開口状態を保ち、視覚に頼ることなく手の触感だけでゴミを確実に袋の中に入れることができる。
【背景技術】
【０００２】  従来のビニール袋は開口部に差がないため開けづらかった。また、ゴミを入れる際には位置を目で確認する必要があった。
【考案の概要】
【考案が解決しようとする課題】
【０００４】  従来、ビニール袋は開けるためには両手を使用し、視覚に頼るものであった。そのため体位移動の不自由な人、目の不自由な人、両手の自由度の少ない人には容易なことではなかった。また、ゴミ箱は床に置くことが通例であり、ゴミを入れる際には位置を確認する必要があった。
本考案は、以上のような欠点をなくすためになされたものである。
【課題を解決するための手段】
【０００５】  請求項１に示すように開口部に前後差を設けたことを特徴とするゴミ袋。
請求項２に示すように請求項１において、開口部前面縁に凸状の厚みを設けたことを特徴とするゴミ袋。
請求項３に示すように請求項２において、開口部前面縁内側に凸状の突起を設けたことを特徴とするゴミ袋。
【考案の効果】
【０００６】  ビニール袋を利用しているため机の上や車の中、ベッドサイドなどの場所に下げることができる。また、前後差や開口部に撚りを作ることで触覚のみでゴミを確実に袋の中に入れることができる。
【図面の簡単な説明】
【０００７】
【図１】  本考案の正面図である。
【図２】  本考案の断面図である。
【図３】  本考案の斜面図である。
【考案を実施するための形態】
【０００８】  以下、本考案を実施するための形態について説明する。
ビニール袋１の開口部には前後差２を設け、切り込みを入れ、図２、図３で示すように開口部前面縁全体を内側に巻き込んだ撚り３を入れた。
これを使用するときは、前後差をつけた後ろ裏側に両面テープなどで固定してもよい。又は切り込みを入れてしばってもよい。さらに穴をあけたりすることも出来、開口部前面縁は袋を撚って丸めたものであっても縁にひも状のもの、又はシートの様なものを貼ってもよい。
【符号の説明】
【０００９】  １  ビニール袋
２  前後差
３  開口部前面縁全体を内側に巻き込んだ撚り
【図１】
0003203678.tif 000003
【図２】
0003203678.tif 000004
【図３】
0003203678.tif 000005
(57)【要約】      （修正有）【課題】ねずみの濡れた足や体毛で滑り逃げられる力を抑制するとともに、ねずみに力学的なる負荷を与える張力発動型の不動式ねずみとりを提供する。【解決手段】粘着剤を塗付させた粘着板１の、裏下面の４隅・４箇所に、シリコンゴム製のシート（パッド）２をセット固定（接着）させて、粘着板を、ねずみの進入前後において不動化させる。【選択図】図１
0003203679.tif 000002
【実用新案登録請求の範囲】
【請求項１】
粘着剤を塗布させた粘着板（１）の裏下面の４隅・４箇所に、シリコンゴム製のシート（パッド）（２）を、セット固定化をさせた、不動式ねずみとり
【考案の詳細な説明】
【考案の詳細な説明】
【技術分野】
【０００１】この考案は、通常、且つ既存の、粘着剤を利用し、設置し捕獲を試みる、ねずみとり（粘着トラップ）の底面下部の４隅に、シリコンゴム製のシート（パッド）を配置、接着をさせた、害獣駆除材としての、ねずみとりに関するものである。
【背景技術】
【０００２】従来、ハウス形状型やシート平面状型（ブック状・２つ折り型）で、それらの底面上部に、粘着剤が、塗布された、ねずみとりが有った。
【考案が解決しようとする課題】
【０００３】これらには、次のような欠点が有った。
（イ）シート平面状型（ブック状・２つ折り型）の、ねずみとりの場合、捕獲を望み試みる現場の床面上に敷設した時に、捕獲粘着板の両端が、上方向・Ｖ字型に反り返り、ねずみの進入方向を、さえぎり、捕獲粘着板の平面上に、ねずみが入り、乗っかってくること自体が弊害になっていた（経路防害）事が有った。
（ロ）ねずみ自体が、足や体毛全体が濡れている実状が多い為、足跡や、捕獲粘着板上で、滑り転がった跡だけを残し、走り抜けられ、或いは、逃げられ、粘着捕獲としての効力を失い、捕獲需要に、必らずしも応えきれていなかった。
（ハ）跳躍力を有した敏捷な、ねずみや、体重の重い大型ねずみが、捕獲粘着板毎を、自身の体に接着させながら、持ち逃げされ、後で着脱させたりなど、捕獲粘着板上からの脱着を許し、周余を粘着剤で汚す事態も有った。
【課題を解決するための手段】
【０００４】粘着剤を塗布させた粘着板（１）を、ねずみ捕獲を望む現場にて、敷設させる床面上で、不動化を成し遂げる為に、粘着板（１）の底面４隅・４箇所に、シリコンゴム製のシート（パッド）をセット固定させることに因り、粘着板（１）自体の反り返りを防止させ、粘着板（１）毎、ねずみの体に接着した状態で、引っ張り持ち去られる事や、粘着板（１）上からの脱着事態の抑制も適う。
【考案を実施するための形態】
【０００５】以下、本考案の実施の形態について説明する。
（イ）粘着剤を塗付させた、粘着板（１）の底面（裏面）４隅・４箇所に、シリコンゴム製のシート（パッド）を接着固定をさせる。
本発明は、以上のような構造で、これを使用すると、粘着板（１）と、粘着板（１）を敷設させる床面との間の、シリコンゴム製のシート（パッド）（２）が、床面上の粘着板（１）を、不動・固定化を促す為、粘着板（１）の、ねずみ進入方向口の両端が、反り上がる事態を防げ、ねずみ自体に、粘着板（１）が、接着したまま、持ち運び去られる事態（後程、設置現場から離れた任意の場所で、着脱し捨てられ、結果的に捕獲が適わぬ事態）や、粘着板（１）上で、脱着・逃げられる事態も、予め防げる契機・対抗策に成り得、従来迄の、ねずみの運動行為（能力・習性）の阻害（妨げ）そして、ねずみの粘着板（１）上への誘導・開放も、粘着板（１）を、常時フラットさを保たせ、底面からの、シリコンゴム製シート（パッド）（２）の固定・密着に因り、粘着板（１）自体は、固より、粘着板（１）上の、ねずみの総ての任意運動を張力で抑制させられる。
【考案の効果】
【０００６】従前迄の既存品は、粘着剤を塗付させたのみの、ねずみ粘着捕獲トラップ＝ねずみとりに、存していた、捕獲率を低減させている要因＝ねずみとり自身に因る、ねずみの進入方向を妨げていた、ねずみとり自体の構造上の問題＝進入方向口（面）の上方への反り返り＝捕獲好機の事前消失、粘着板上への、ねずみが進入後の、ねずみが脱着をしようとする総ての任意の運動行為、更には、粘着板上で、滑って、走り抜けられる、又は、粘着板ごと、ねずみに持って往かれ、移動してしまい、結果として捕獲が適わない実状に対抗する＝ねずみとりの両端、ねずみに対して負荷として係る張力を発動させる不動式ねずみとりである。
【図面の簡単な説明】
【０００７】
【図１】本考案の側面図である。
【図２】本考案の底面図である。
【符号の説明】
【０００８】１．粘着板
２．シリコンゴム製のシート（パッド）
【図１】
0003203679.tif 000003
【図２】
0003203679.tif 000004
(57)【要約】      （修正有）【課題】高度な陶芸の技術を必要とせず身障者、高齢者、子供、陶芸入門者等、誰でも陶芸を楽しみ、完成させる達成感を得る事の出来る陶芸用木型を提供する。【解決手段】カップ状の器を成形するための木型であって、該木型は円弧状に成形されるとともに凹状の器成形部１ｂが成形されており、該器成形部１ｂは、底部の高台成形部１ｅと、該高台成形部１ｅから上方の胴成形部１ｄと、該胴成形部１ｄ上方の口縁成形部１ｃとを備え、該口縁成形部１ｃは外方に向けて湾曲する湾曲部が成形されていることを特徴とする。【選択図】図２
0003203671.tif 000002
【実用新案登録請求の範囲】
【請求項１】
カップ状の器を成形するための木型であって、該木型は円弧状に成形されるとともに凹状の器成形部が成形されており、該器成形部は、底部の高台成形部と、該高台成形部から上方の胴成形部と、該胴成形部上方の口縁成形部とを備え、該口縁成形部は外方に向けて湾曲する湾曲部が成形されていることを特徴とする陶芸用木型。
【考案の詳細な説明】
【技術分野】
【０００１】この考案は身体障害者、高齢者、子供等の機能回復、維持、向上等に使用される陶芸用木型に関するものである。
【背景技術】
【０００２】従来の陶芸用の型としては石膏を用いて機械加工により製作される物がある。
【考案の概要】
【考案が解決しようとする課題】
【０００３】上記のような従来の陶芸用石膏型は完成品を量産する為の型である為目的の指先の機能回復、維持、向上には効果がないという問題点があった。
【課題を解決するための手段】
【０００４】  この考案の陶芸用木型は、手のひらの上にのせて指先で回す事の出来るように、木型の外周部を円弧状にし、あらかじめ木型内部に彫り込んだ高台の溝に粘土を押し込むため更に指圧を必要とする様にしたものである。
【考案の効果】
【０００５】木型の外周下部を円弧状にし回しやすく、内部に高台の溝を彫り込みバランスの良い高台幅を決める事が出来る様にした為、高度の作陶技術が無くても７割程度の完成品をえることが出来、その後の指先の運びによってオリジナルの作品を完成させる事が可能となり、指先の機能回復、維持、向上を更に図る事が出来る。
【図面の簡単な説明】
【０００６】
【図１】木型本体の斜視図
【図２】木型の断面図である
【図３】丸めた粘土を木型に入れる図
【図４】木型に粘土を押し広げ成形する図
【図５】完成した湯のみ外形図
【考案を実施するための形態】
【実施例】
【０００７】本考案の実施例を図面に基づいて説明する。カップ状の器を形成する木型１は外周部１ａが円弧状に形成されている。そしてこの木型１は凹状とされた器成形部１ｂを備えており、この器成形部１ｂは、カップ状の器（作品）３の底部の高台３ａを成形するための高台成形部１ｅが儲けられている。
また、高台成形部１ｅから上方に向けて、カップ状の器（作品）３の外周部を成形する胴成形部１ｄと、該胴成形部１ｄの上方でカップ状の器（作品）３の口縁を成形する口縁成形部１ｃとが設けられている。この口縁成形部１ｃは、外方に向けて湾曲する湾曲部Ｃが成形されている。
上述の様に構成された陶芸用の木型１の使い方を図３及び図４に基づき説明する。まず、図３に示すように粘土２を木型１に入れる。次に、図４に示す様に、木型１を一方の手のひらの上に載せて他方の手で廻す。そして他方の手の親指で中心を押さえ器成形部１ｂの底部中心を肉厚（例えば）１センチ、胴部分の肉厚も例えば１センチ程度に押し広げて整え、その後は７ｍｍ程度のピッチでらせん状に肉厚を狭める為成形部１ｂの口縁部１ｃに向かい親指をずらし、木型の外周部１ａに沿わした外側の指、主に人差し指と中指で円周の粘土肉厚を同じく１センチに整え、徐々に上部に移動し全周での肉厚を同じく１センチ程度に整える。この作業を繰り返し行い口縁部１ｃまで肉厚を揃え木型１による作業を終了する。
木型１の上部まで粘土が来ると木型１から粘土で出来た器の原型を木型から取り出す。こうして先ず木型１により粘土で出来た器の原型を製作し、とりだした後もう一度高台脇から口縁部１ｃに向け粘土肉厚を徐々に薄く（２〜３ｍｍ）整え湯呑み型の高さまで薄く延ばす様に調整し指あとの付いたオリジナルの形、図５に示すような作品３が完成する。
なお、本考案においては口縁成形部１ｃに外方に向けて湾曲する湾曲部ｃを成形したため、木型１内で成形した粘土の器を木型１から取り出しやすくなるという効果がある。
この作品３はさらにアイデアによりアレンジし、一輪挿しや多様な器、動物の形等個性溢れる作品に仕上げる事も可能である。
【産業上の利用可能性】
【０００８】高齢者施設、デイケアセンター、作業療法施設、学校等教育施設などで活用できる。
【符号の説明】
【０００９】１  木型、
Ａ：木型外周底部直径
Ｂ：木型口縁部直径
Ｃ：湾曲部
１ａ：木型外周部
１ｂ：器成形部
１ｃ：口縁成形部
１ｄ：胴成形部
１ｅ：高台成形部
【図１】
0003203671.tif 000003
【図２】
0003203671.tif 000004
【図３】
0003203671.tif 000005
【図４】
0003203671.tif 000006
【図５】
0003203671.tif 000007
(57)【要約】      （修正有）【課題】料理又は飲料物の温度を高温又は低温で保ち、一定時間本来の味を持続させることができる簡易保温保冷器を提供する。【解決手段】熱伝導率が高い素材でできた正方形状タンク１に熱湯又は氷水を入れ密封し、そのタンクの上部２に料理の入った器又は飲料物を載せることにより、一定時間高温又は低温で保たれる。【選択図】図１
0003203683.tif 000002
【実用新案登録請求の範囲】
【請求項１】
熱伝導率の高い素材でできた正方形状タンクの一角に取付けた注入口から熱湯又は氷水を入れ密封し、タンクの上部に器ごと載せた調理済の料理又は飲料物を一定時間保温又は保冷する簡易保温保冷器。
【考案の詳細な説明】
【技術分野】
【０００１】  本考案は、正方形状タンクに熱湯又は氷水を入れて密封し、そのタンクの上部に器ごと載せた料理又は飲料物を一定時間保温又は保冷する簡易保温保冷器に関するものである。
【背景技術】
【０００２】  熱湯又は氷水を入れた熱伝導率が高い素材でできたタンクの上部に調理済の料理又は飲料物を器ごと載せることで、料理又は飲料物を高温のまま、又は低温のまま一定時間保てるので、食べ終えるまで料理本来の味を嗜むことができる。
【考案の概要】
【考案が解決しようとする課題】
【０００３】  調理済みの料理又は飲料物は、常温状態のままで放置しておくと時間経過とともに料理温度が変化し、本来の味を損なう。そこで、保温保冷器により料理又は飲料物の温度を一定時間高温又は低温で保ち、食事が終えるまで料理本来の味を持続させることで課題を解決しようとするものである。
【課題を解決するための手段】
【０００４】  熱伝導率が高い素材でできた正方形状タンクに熱湯又は氷水を入れ密封し、そのタンクの上部に料理の入った器又は飲料物を載せることにより、一定時間料理が高温又は低温で保たれる。正方形状タンクの上部サイズは、Ｌサイズのピザが容器ごと載せられる一辺の長さで、その他に大皿にも対応できる大きさである。タンクの注ぎ口は家庭用冷蔵庫で製氷した氷が簡単に入れられる大きさとなっている。タンクの注ぎ口は蓋で密封され、どの様な方向でも中の液体が漏れることはない。また、火或は電気を使用しないので安全でしかも利用コストが安価である。
【図面の簡単な説明】
【０００５】
【図１】本考案の斜視図である。
【図２】本考案の平面図である。
【図３】本考案の正面図である。
【図４】図２のＡ−Ａ断面図である。
【図１】
0003203683.tif 000003
【図２】
0003203683.tif 000004
【図３】
0003203683.tif 000005
【図４】
0003203683.tif 000006
(57)【要約】      （修正有）【課題】コインパーキングにおいて駐車時に発券機から駐車券を取り出し、精算時に駐車券を精算機に挿入して支払う際に、乗車したまま車窓から駐車券を挟持して容易に出し入れ出来る駐車券挟持具を提供する。【解決手段】駐車券挟持具１は、一端の挟持部２においては駐車券５を挟むための隙間部分に１ヶ所又は複数カ所の挟持バネ部３が設けられ、反対側の端部には持ち手となるグリップ４が設けられている。発券機から駐車券を取り出すために持ち手のグリップを手で握り、挟持バネ部に駐車券を押し込むだけで車内に取り込め、精算時には予め駐車券を挟持バネ部に駐車券を挟んでおき、グリップを握り精算機の駐車券投入口に差し込めば、自動的に精算機に回収される。【選択図】図１
0003203685.tif 000002
【実用新案登録請求の範囲】
【請求項１】
発券機又は精算機において駐車券（５）を出し入れする際に使用する駐車券挟持具（１）であり、その一端の挟持部（２）においては駐車券（５）を挟むための隙間（６）部分に１ヶ所又は複数カ所の挟持バネ部（３）が設けられており、反対側の端部には持ち手となるグリップ（４）が設けられていることを特徴とする駐車券挟持具（１）。
【考案の詳細な説明】
【技術分野】
【０００１】  本考案は、コインパーキングにおいて駐車時に発券機から駐車券を取り出し、精算時に駐車券を精算機に挿入して支払う際に、乗車したまま車窓から駐車券を挟持して出し入れ出来る駐車券挟持具に関するものである。
【背景技術】
【０００２】  コインパーキングを利用する際、出入り口に有る発券機で駐車券が発行されて取り出し、精算時に駐車券を精算機に挿入して精算する際、通常は運転者自身が運転席の車窓をあけて手を伸ばして発行される駐車券を取り出したり、精算時には同じく手を伸ばして駐車券を精算機に挿入して表示された精算金額を投入して支払っていた。
【考案の概要】
【考案が解決しようとする課題】
【０００３】  前記車窓から手を伸ばして駐車券を取り出したり、挿入する場合、車体と発券機や精算機までの距離がうまく停車位置に停める事が出来なかったり、日本の場合右ハンドル車が多いため、発券機や精算機が右側に設置されているため左ハンドルの外車等の場合、降車して駐車券をいちいち取り出したり挿入しなければならなかった。【０００４】  一方でマジックハンドを利用することも有ったが、駐車券を挟持するには大変不安定で使いづらい課題が有った。
【課題を解決するための手段】
【０００５】  前記課題を解決するために本考案は、発券機又は精算機において駐車券（５）を出し入れする際に使用する駐車券挟持具（１）であり、その一端の挟持部（２）においては駐車券（５）を挟むための隙間（６）部分に１ヶ所又は複数カ所の挟持バネ部（３）が設けられており、反対側の端部には持ち手となるグリップ（４）が設けられていることを特徴とする駐車券挟持具（１）とする。【０００６】  本考案の駐車券挟持具は以上のよう構成であるため、まず駐車券を取り出すために持ち手のグリップを手で握り一方の端部の挟持部の隙間部分に設けられた１ヵ所又は複数カ所の挟持バネ部に発券機から出た駐車券を押し込むだけで該挟持バネ部にて駐車券を挟んで車内に取り込む事が出来る。【０００７】  もちろん、精算時の際には車内にて予め駐車券を挟持バネ部に挟み込んでおき、グリップを握り精算機の駐車券投入口に差し込めば自動的に精算機に回収されるものとなる。【０００８】  以上のように、車の停車位置が悪くても車窓から駐車券を取り出したり、挿入したりする際にいちいち車から降りる必要の無い優れたものとなる。
【図面の簡単な説明】
【０００９】
【図１】  本考案の一実施例を示す平面矢視図である。
【図２】  本考案の図１のＡ−Ａ断面図である。
【図３】  本考案の図１の側面矢視図である。
【考案を実施するための形態】
【００１０】  本考案における駐車券挟持具の大きさ、デザイン、材質、製造方法、内部構造等は特に限定されないが、挟持バネ部も含めて樹脂成型にて一体成形されるのが好ましい。
【００１１】  挟持部の幅や隙間の奥行き寸法等も通常の大きさ、厚さの駐車券に沿って挟む大きさとして設けられるのが好ましく、挟持バネ部の挟持力も駐車券を取り出す際、挿入する際に風に飛ばされない程度の力で挟むように設定され製造されるのが好ましい。
【００１２】  又、全体の大きさもグリップから挟持部までの長さが車窓をあけて操作出来る３０ｃｍ前後のものが好ましい。
以下、実施例と図に基づき説明する。
【実施例】
【００１３】  以下、本考案の一実施例を図１、図２及び図３で説明するがこれによって本考案は何ら限定されるものではない。【００１４】  図１は、本考案の駐車券挟持具（１）を平面から見た一例を示す平面矢視図である。一端の挟持部（２）には、２カ所挟持バネ部（３）がそれぞれ設けられており、該挟持バネ部（３）によって駐車券（５）がしっかりと挟まれ、反対側の端部には持ち手となるグリップ（４）が設けられている。【００１５】  図２は、図１におけるＡ−Ａ断面を示した図である。挟持部（２）の上、下において設けられた挟持バネ部（３）によって隙間（６）から駐車券（５）が出し入れ出来、前記挟持バネ部（３）で挟まれている事が理解出来る。【００１６】  図３は、本考案の図１のものの側面矢視図であり、図２で示した挟持部（２）が、持ち手となるグリップ（４）まで一体化されて設けられている。
【産業上の利用の可能性】
【００１７】  本考案の駐車券挟持具は、挟持部に設けられた挟持バネ部の構造により、駐車券を隙間から該挟持バネ部を過ぎるまで押し込んで挟持して発券機から取り出す事が出来、精算時には予め駐車券を該挟持バネ部に挟み込んでおいて精算機の駐車券投入口に差し込む事が出来るため、車の停車位置が悪くても、いちいち降車して手で出し入れする必要の無い優れた駐車券挟持具となる。
【符号の説明】
【００１８】１  駐車券挟持具
２  挟持部
３  挟持バネ部
４  グリップ
５  駐車券
６  隙間
【図１】
0003203685.tif 000003
【図２】
0003203685.tif 000004
【図３】
0003203685.tif 000005
(57)【要約】      （修正有）【課題】モータサイクルのハンドルを手で握る部分のハンドルパイプの内部に電熱器を設置し、低温時における手の冷えを軽減させるハンドルヒーターを提供する。【解決手段】ハンドルパイプの内部に電熱器としてメタルクラッド抵抗器またはセメント抵抗器を設置する。それぞれの抵抗器は大きさ、抵抗値を選択し、ハンドル内径より大きいメタルクラッド抵抗器は切削することでハンドル内部へ設置する。ハンドル内径より小さいそれぞれの抵抗器はハンドル内部との隙間にシリコンシーラントを充填し設置する。電力はモーターサイクルで発電されたもの、もしくはそれを整流したものを使用する。【選択図】図１
0003203684.tif 000002
【実用新案登録請求の範囲】
【請求項１】
モーターサイクルのハンドルパイプ内部にメタルクラッド抵抗器を電熱器として使用するハンドルヒーター。
【請求項２】
モーターサイクルのハンドルパイプ内部にセメント抵抗器を電熱器として使用するハンドルヒーター。
【考案の詳細な説明】
【技術分野】
【０００１】  本考案はモーターサイクルのハンドルを手で握る部分のパイプ形状のハンドル内側にメタルクラッド抵抗器またはセメント抵抗器を電熱器として設置する方式のハンドルヒーターに関する。
【背景技術】
【０００２】
【先行技術文献】
【特許文献】
【０００３】
【特許文献１】特開昭５９−２１８１０５
【非特許文献】
【０００４】
【非特許文献１】株式会社キジマ  ホームページ  パーツカタログ  ヒートデーモンズ  ｗｗｗ．ｔｋ−ｋｉｊｉｍａ．ｃｏ．ｊｐ／ｐｒｏｋｉｊｉ３０４−８１５＿２０．ｈｔｍ
【非特許文献２】株式会社デイトナ  ホームページ  カタログ  ホットグリップ  ｈｔｔｐ：／／ｗｗｗ．ｄａｙｔｏｎａ．ｃｏ．ｊｐ／？／ｐ／ｐｒｏｄｕｃｔｓ．ｐ１０／ｆａｍｉｌｙ＿ｉｄ／９４９／
【非特許文献３】株式会社日本抵抗器製作所  技術・製品情報  固定抵抗  ｈｔｔｐ：／／ｗｗｗ．ｊｒｍ．ｃｏ．ｊｐ／ｐｒｏｄｕｃｔｓ／ｐｒｏｄｕｃｔｓ１．ｈｔｍｌ
【考案の概要】
【考案が解決しようとする課題】
【０００５】  モーターサイクルのハンドル部分へ専用のヒーターを取り付け熱を得る構造のものが存在するが、そのヒーターの大きさが一部のハンドルにしか取り付けられなかった。ハンドルの素材がアルミの場合、その内径が鉄製と比べ小さく取り付けられるヒーターが市場に存在していない。【０００６】  その他の熱を得る方法としてグリップに電熱器の機能をもつグリップヒーターと交換する。【０００７】  その従来のグリップヒーターは電熱器をグリップ内部に埋め込んだ構造でその分厚みが増し、太くなった事で手の小さい人には握りにくくなる場合があった。【０００８】  その他、従来のグリップヒーターではアクセル側はその開閉のためにグリップ部を回す際、電力を供給している配線に繰り返し応力が発生するので断線の可能性があった。【０００９】  そして従来のグリップヒーターでは配線がグリップを回す範囲を制限しないように配線に遊びをもたせている。その為、何か（たとえば指、車体の一部）に触れ引っかかった場合は操作に甚大な影響を与えるおそれがあった。【００１０】  本考案は、従来のグリップヒーターの構造が有していた問題を解決するものであり既存のグリップを交換することなくグリップヒーターの機能をハンドルヒーターとして実現する事を目的とする。
【課題を解決するための手段】
【００１１】  本考案は上記目的を達成する為に、既存グリップが取り付けてあるパイプ形状のハンドル内部にメタルクラッド抵抗またはセメント抵抗器を設置する。ハンドル内径より大きいメタルクラッド抵抗器は切削することでハンドル内部へ設置する。それぞれの抵抗器がハンドル内径より小さい場合はハンドル内部と抵抗器との間にシリコンシーラントを充填し固定すると共に防振対策の効果を得る。【００１２】  また第２の課題解決手段は電熱器に電力を供給する配線をハンドルパイプ内側から外側に貫通する穴を任意の位置に開け、そこに通すことで操作に影響しない場所に配線を設置する。電力はモーターサイクルで発電されたもの、もしくは整流されたものへ接続する。
【考案の効果】
【００１３】  ハンドル内部にヒーターを設置する従来の専用ヒーターを使用せず市場で流通しているメタルクラッド抵抗器やセメント抵抗器を利用し、かつそれぞれの抵抗器は大きさ、抵抗値が選択できるので求める熱量を調整しグリップヒーターと同等の機能を得ることができる。【００１４】  上述したように本発明のハンドルヒーターは現在取り付けてあるグリップやハンドルを交換することなく切削加工およびシリコンシーラント充填での固定でハンドル内部に電熱器を取り付けられ、その機能を得る事ができる。【００１５】  アクセル側の開閉による配線の制限（たとえば遊びを持たせる）、断線の可能性およびその配線の遊びに起因する引っかかりによる操作への甚大な影響をなくする事ができる。【００１６】  電力は配線を通してモーターサイクルの発電機で発電されたものを使用するので、安定した電力が供給される。
【図面の簡単な説明】
【００１７】
【図１】本考案のハンドルヒーターの実施例を示す正面（断面）図である。
【実施例】
【００１８】  以下、添付図面に従って実施例を説明する。▲１２▼はメタルクラッド抵抗器またはセメント抵抗器で▲１０▼のハンドルパイプ内部へ設置する。▲１３▼、▲１４▼はそれぞれの抵抗器の配線接続端子で▲１５▼、▲１６▼は電力を供給する配線を▲１０▼ハンドルパイプの内側と外側を貫通する穴に通す。▲１１▼のグリップは交換不要である。
【符号の説明】
【００１９】  ▲１０▼  ハンドルパイプ
▲１１▼  グリップ
▲１２▼  メタルクラッド抵抗器またはセメント抵抗器
▲１３▼  メタルクラッド抵抗器またはセメント抵抗器配線接続端子
▲１４▼  メタルクラッド抵抗器またはセメント抵抗器配線接続端子
▲１５▼  （−）電力供給線
▲１６▼  （＋）電力供給線
【図１】
0003203684.tif 000003
(57)【要約】      （修正有）【課題】アクセルペダルとブレーキペダルの踏み間違いに伴う事故を防止するためのペダル機構を提供する。【解決手段】ペダル機構１０は、自動車のブレーキペダル１とアクセルペダル２とは別個に台座部１１に設けたブレーキボタン１２を備えるものである。ブレーキボタン１２は、アクセルペダル２を足で踏み込んだ際にアクセルペダル２が進行する方向の前方に設けられ、アクセルペダル２を強く踏み込むとブレーキボタン１２が押圧される構造となっている。ブレーキボタン１２が押圧されると、図示されないマスターシリンダーのピストンが押し込まれることで油圧が発生し、制動装置を経て各車輪のブレーキ本体へと伝達する構造となっている。【選択図】図２
0003203310.tif 000002
【実用新案登録請求の範囲】
【請求項１】
アクセルペダルとブレーキペダルを備える自動車のペダル機構であって、アクセルペダルの踏み込み方向前方にブレーキペダルとは別にブレーキ機構を作動させることが可能なブレーキボタンを設けたペダル機構。
【考案の詳細な説明】
【技術分野】
【０００１】
本考案は自動車のアクセルペダルとブレーキペダルの踏み間違いに伴う事故を防止するためのペダル機構に関する。
【背景技術】
【０００２】
従来のオートマチック・トランスミッション自動車（ＡＴ車）は、ブレーキとアクセルを踏み間違え、事故を起こしやすいという問題があった。これは、マニュアル・トランスミッション自動車（ＭＴ車）とは異なって、各ペダルを操作する足が一つに定まらないためである。
【０００３】
つまり、オートマチック車の場合、アクセルペダルは右側に、ブレーキペダルはその左側と、２つのペダルが並んで配置されおり、操作するときは、右足だけでアクセルペダルとブレーキペダルを交互に踏み替えながら操作することになる。それぞれ「踏み込む」という同じ動作で操作するペダルが並んでいるため、踏み間違える可能性が生じるのである。
【０００４】
具体的なペダルの踏み間違いの事故は、状況は「発進時」が、場所は「サービスエリア」や「店舗の駐車場」といった道路以外が高くなっている。運転操作の誤りの原因は「慌て、パニック」が主である。
【０００５】
上記のようなペダルの踏み間違えによる事故を防止するため、特許文献１にかかる発明は、アクセルペダルの下方にブレーキペダルと連動した腕を設け、アクセルペダルを過度に踏み込むと同時にブレーキペダルが押さえられる構造のブレーキ装置が提案されている。
【０００６】
特許文献２には、アクセルペダルの側方に伸びる踏板部材を設け、ブレーキペダルとアクセルペダルを同時に踏むことを可能とし、もって踏み間違えによる事故を抑制する考案が開示されている。
【０００７】
特許文献３には、アクセルペダルの横にスライドペダルを設け、アクセルペダルを踏むと、同時にスライドペダルがブレーキペダルを押さえる構造を備えたブレーキ機構が開示されている。
【先行技術文献】
【特許文献】
【０００８】
【特許文献１】特開２０１２−９９０７９号公報
【特許文献２】登録実用新案公報第３１８８１１１号
【特許文献３】実開平７−２７９２８号公報
【考案の概要】
【考案が解決しようとする課題】
【０００９】
本考案もまた上記特許文献記載の発明・考案と同様に、アクセルペダルとブレーキペダルの踏み間違いに伴う事故を防止するための新規なペダル機構を提供することを目的とする。
【課題を解決するための手段】
【００１０】
上記の目的を達成する本考案は、アクセルペダルとブレーキペダルを備える自動車のペダル機構において、アクセルペダルの踏み込み方向前方にブレーキペダルとは別にブレーキ機構を作動させることが可能なブレーキボタンを設けて構成した。
【考案の効果】
【００１１】
上記のように構成される本考案が、如何に作用して課題を解決するかを図面を参照しながら概説する。
【００１２】
本考案にかかる自動車のペダル機構は、図２に示すようにアクセルペダル２の図中矢印で示される踏み込み方向の前方に、一般的な普通乗用車が備えるブレーキペダル１とは別にブレーキボタン１０を備えている。したがって、運転者が慌てて、あるいはパニック状態でアクセルペダルを過度に踏み込むと、ブレーキボタンを押圧し、ブレーキ機構が作動することになる。つまりは駆動力の制動が可能になり事故の防止に繋がるのである。
【図面の簡単な説明】
【００１３】
【図１】本考案にかかるブレーキ機構の上面図
【図２】図１におけるＸ方向から見た図
【考案を実施するための形態】
【００１４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１５】
図１、図２に示すように本考案にかかるペダル機構１０は、自動車のブレーキペダル１とアクセルペダル２とは別個に台座部１１に設けたブレーキボタン１２を備えるものである。図中ブレーキペダル１及びアクセルペダル２は、支点が上部にある吊り下げ型であるが、ペダルの下端部を支点としたオルガンペダルにも、本考案は実施可能である。
【００１６】
本考案にかかるブレーキボタン１２は、アクセルペダル２を足で踏み込んだ際にアクセルペダル２が進行する方向の前方に設けられ、アクセルペダル２を強く踏み込むとブレーキボタン１２が押圧される構造となっている。
【００１７】
ブレーキボタン１２が押圧されると、図示されないマスターシリンダーのピストンが押し込まれることで油圧が発生し、制動装置を経て各車輪のブレーキ本体へと伝達する構造となっている。また、アクセルペダル２による押圧が解消されると、マスターシリンダー内のスプリングでブレーキボタン１２は元の位置に押し戻される構造となっている。この構造は自動車に装備される一般的なブレーキ機構と同一である。
【符号の説明】
【００１８】
１０・・ペダル機構
１１・・台座部
１２・・ブレーキボタン
【図１】
0003203310.tif 000003
【図２】
0003203310.tif 000004